(57)【特許請求の範囲】
【請求項１】
合成樹脂としてウルテム材質を用いたリムとテンプルが結合して構成される眼鏡であって、
前記リム（１０）の上／下両側端部にそれぞれ構成される上／下側羽根部（１２、１３）と、前記リム（１０）の上／下側羽根部（１２、１３）の間にリム（１０）の形態で上／下側羽根部（１２、１３）よりも厚く形成される支持枠（１１）で構成されるリム（１０）、および
前記テンプル（２０）の上／下両側端部で構成される羽根部（２１）と、前記テンプル（２０）の中央部に長さ方向に前記羽根部（２１）よりも厚く形成される支持部（２２）で構成されるテンプル（２０）、
で構成され、
前記上／下側羽根部（１２、１３）と羽根部（２１）の厚さは０．８ｍｍ〜１ｍｍで形成され、眼鏡の重量を軽量化しながらも弾性力と耐久性を維持し、ツートンカラーを確保することができ、前記リム（１０）とテンプル（２０）が上／下部に幅広に形成されることを特徴とする、合成樹脂としてウルテム材質を用いた重量軽量化とツートンカラーを有する幅広眼鏡。
【請求項２】
前記リム（１０）の下側羽根部（１３）は、眼鏡の重量を軽量化できるように端部分（１４）の下側面のみに形成されることを特徴とする、請求項１に記載の合成樹脂としてウルテム材質を用いた重量軽量化とツートンカラーを有する幅広眼鏡。
【請求項３】
前記リム（１０）とテンプル（２０）を結合するときに、
前記リム（１０）の上／下側羽根部（１２、１３）が前記テンプル（２０）と対向する部分の上／下面と前記テンプル（２０）の羽根部（２１）が前記リム（１０）と対向する部分の上／下面の高さがそれぞれ同じように位置し、
前記リム（１０）の支持枠（１１）がテンプル（２０）の支持部（２２）と対向する部分の上／下面と前記テンプル（２０）の支持部（２２）がリム（１０）の支持枠（１１）と対向する部分の上／下面の高さがそれぞれ同じように位置し、
眼鏡の全体的なツートンカラーを形成できることを特徴とする、請求項１に記載の合成樹脂としてウルテム材質を用いた重量軽量化とツートンカラーを有する幅広眼鏡。
【請求項４】
前記テンプル（２０）の支持部（２２）の一側に溝部（２３）を形成してデザインを構成したことを特徴とする、請求項１に記載の合成樹脂としてウルテム材質を用いた重量軽量化とツートンカラーを有する幅広眼鏡。
【発明の詳細な説明】
【技術分野】
【０００１】
本発明は、合成樹脂を利用した重量軽量化とツートンカラーを有する幅広眼鏡に関し、より詳細には、ウルテム材質で構成され、リムとテンプルの上／下側面に厚さが０．８ｍｍ〜１ｍｍで形成される上／下側羽根部と羽根部がそれぞれ形成され、前記上／下側羽根部と羽根部の中央部に上／下側羽根部と羽根部よりも厚く支持部と支持枠がそれぞれ構成されることにより、眼鏡の重量が軽くなると同時に弾性力および耐久性が高く、着用者に応じて多様なデザインとツートンカラーを演出することができる、合成樹脂を利用した重量軽量化とツートンカラーを有する幅広眼鏡に関する。
【背景技術】
【０００２】
通常、眼鏡は、レンズを挟むリムと前記リムの両側端部分にヒンジ結合する一対のテンプルで構成されて１つの眼鏡が完成する。従来には眼鏡は視力矯正のために使用されてきたが、最近では眼鏡の着用時に着用者の印象を左右する場合が多く、対人関係、恋人関係、面接などで眼鏡を着用する場合が増えている。
【０００３】
さらに最近では、迅速に変化する現代社会に歩調を合わせ、着用者の個性を生かすことができる独特なデザインの眼鏡を売り出して消費者の欲求を満たしており、より優れた眼鏡を開発するために多くの研究が行われている。
【０００４】
一方、多様なデザインを売り出しても、着用者の欲求をすべて満たすことはできず、デザイン性だけを追及すると、着用感および眼鏡の重量などに比重が置かれず、眼鏡を着用すると楽で軽くて耐久性が高くなければならないが、そうではない眼鏡によって消費者は多くの費用を出費せざるをえず、長い研究の末に多様なリムとテンプル、眼鏡が売り出されている。
【０００５】
先ず、従来の技術を詳察すると、
公開番号２０−２０１２−０００１４７７（実）のレンズを囲むリムと両サイドにテンプルがそれぞれ回転可能に連結している眼鏡において、テンプルを畳んだり広げたりするときに摩擦による摩耗の憂慮をまったく感じることなく動作が柔軟になるように、係止部材と組み立てられるテンプルの一側に多数の屈曲部と弾性溝を形成し、前記屈曲部と弾性溝は射出成形によって「コ」形状に形成され、前記屈曲部と弾性溝はテンプルが広がる作用によって収縮または膨脹する弾性力を発揮し、前記弾性溝は内部が空間で形成され、屈曲部と密着する状況は発生せずに収縮または広がりながら弾力的に動くように構成されることを特徴とする、収縮屈曲型弾性溝を有するテンプルを記載している。
【０００６】
登録番号２０−０３１５００７（実）の合成樹脂と金属からなるテンプルにおいて、前記合成樹脂で射出成形された構造であって、一端に組立孔と貫通孔を備える連結間、前記連結間の組立孔によって結合し、一端に広く延伸する平面部を備える連結台、および前記連結間の組立穴によって挿着され、多様な材質、模様、色相などからなる装飾部材を備えて構成される。
【０００７】
登録番号２０−０３４１０８２（実）のテンプルと、前記テンプル端に被せられた被服部で構成された通常のテンプルにおいて、被服部内側面の先端に所定の凹溝を形成し、前記凹溝に接着剤などを利用して所定の銀板を付着構成することを記載している。
【０００８】
上述した従来の技術を詳察すると、リムとの結合時に着用者の頭の大きさに応じて眼鏡が密着するようにする弾性力を中心に記載されているが、多様なデザインを追求する顧客の個性に対する適切な対応策がないことに加え、眼鏡が破損し易いという問題点がある。
【０００９】
他の形態の技術を詳察しても、上述した従来技術とほとんど差がない技術を記載しているだけでなく、従来技術の問題点をそのまま露出し、破損と重量に対する対備策がないのが現状である。
【００１０】
したがって、上述した従来の問題点を解消するために、全体的な眼鏡の重量を軽量化させながらも耐久性と弾性力が高く、多様なデザインを駆使することができる技術が必要な実情にある。
【発明の概要】
【発明が解決しようとする課題】
【００１１】
したがって、本発明の目的は、弾性力を付与できるようにウルテム素材を利用してリムとテンプルがヒンジ結合する眼鏡で構成し、着用者に軽量の眼鏡を提供することができるように、前記リムとテンプルの上／下側面で薄く形成される上／下側羽根部と羽根部をそれぞれ構成することによって全体的な重量を軽量化し、前記リムとテンプルの破損を防ぐことができるように、前記上／下側羽根部の中央部にリムの形態で前記上／下側羽根部よりも厚く形成される支持枠と前記羽根部の中央部に長さ方向に前記羽根部よりも厚く支持部をそれぞれ構成することによって耐久性が高まるようにし、相互ヒンジ結合する眼鏡を着用するときに、下側羽根部と羽根部によって着用時に前面と側面から見える形状が後面に光の反射によって多様な形状のツートンカラーを有することができる製品を提供することに主眼点を置き、その技術的課題によって完成させた。
【課題を解決するための手段】
【００１２】
上述した目的を達成するための技術的思想として、合成樹脂を利用したリムとテンプルが結合して構成される眼鏡において、前記リム１０の上／下両側端部にそれぞれ構成される上／下側羽根部１２、１３と、前記リム１０の上／下側羽根部１２、１３の間に前記リム１０の形態で上／下側羽根部１２、１３よりも厚く形成される支持枠１１で構成されるリム１０と、前記テンプル２０の上／下両側端部に構成される羽根部２１と、前記テンプル２０の中央部に長さ方向に前記羽根部２１よりも厚く形成される支持部２２で構成されるテンプル２０とで構成され、前記上／下側羽根部１２、１３と羽根部２１の厚さは０．８ｍｍ〜１ｍｍで形成され、眼鏡の重量を軽量化しながらも弾性力と耐久性を維持し、眼鏡の前面と側面から見える形状が後面に光の反射によって多様な形状のツートンカラーを確保することができ、前記リム１０とテンプル２０が上／下部に幅広でありながらも軽量であり、幅広に形成される眼鏡を提供することによって消費者の欲求を満たすようにし、個性を極大化できるようにした。
【発明の効果】
【００１３】
本発明に係る合成樹脂を利用した重量軽量化とツートンカラーを有する幅広眼鏡によると、ウルテム素材で構成することによって弾性力をもち、上／下側羽根部と羽根部の厚さを０．８ｍｍ〜１ｍｍで構成することによって眼鏡の重量が軽くなり、前記上／下側羽根部の中央部に支持枠と羽根部の中央部に長さ方向に支持部をそれぞれ構成することによって耐久性が高まると同時に弾性力に極めて優れ、着用時に前記上／下側羽根部と羽根部によってツートンカラーをもち、前面と側面から見える形状が後面に光の反射によって多様な形状のツートンカラーを有することはもちろん、前記支持部の一側にウルテム素材の特性に応じて色相とデザインの多様性を付与することによって消費者の欲求を満たすことができ、それぞれの個性を極大化できるようにした有用な発明である。
【図面の簡単な説明】
【００１４】
【図１】本発明の好ましい実施例を示した斜視図である。
【図２】本発明の好ましい実施例を示した平面図である。
【図３】本発明の好ましい実施例を示した側面図である。
【図４】本発明の好ましい実施例を示した斜視図および拡大図である。
【図５】本発明の好ましい実施例を示した斜視図である。
【図６】本発明の好ましい実施例を示した平面図および側面図である。
【発明を実施するための形態】
【００１５】
最近は、迅速に変化する現代社会に歩調を合わせ、着用者の個性を生かした独特なデザインの眼鏡を売り出して消費者の欲求を満たしており、より優れた眼鏡を開発するために多くの研究が行われている。
【００１６】
一方、多様なデザインを売り出しても、着用者の欲求をすべて満たすことはできず、デザイン性だけを追求すると、着用感および眼鏡の全体的な重量などに比重が置かれず、眼鏡を着用すると楽で軽くて耐久性が高くなければならないが、そうではない眼鏡によって消費者は多くの費用を出費せざるをえなかった。
【００１７】
これにより、本発明では、ウルテム材質で構成され、リム１０とテンプル２０の上／下側面の厚さが０．８ｍｍ〜１ｍｍで形成される上／下側羽根部１２、１３と羽根部２１がそれぞれ形成され、前記上／下側羽根部１２、１３と羽根部２１の中央部に上／下側羽根部１２、１３と羽根部２１よりも厚く支持枠１１と支持部２２がそれぞれ構成され、眼鏡の重量が軽くなると同時に耐久性が高く、多様なデザインとツートンカラーを表現することができる、合成樹脂を利用した重量軽量化とツートンカラーを有する幅広眼鏡を提供する。
【００１８】
添付の図面と関連し、上述した目的を達成するための本発明の好ましい実施例について図１〜６を参照して説明すれば、次のとおりとなる。
【００１９】
先ず、本発明の説明に先立ってその構成を詳察すると、図１〜３に示すように、合成樹脂を利用したリムとテンプルが結合して構成される眼鏡において、前記リム１０の上／下両側端部にそれぞれ構成される上／下側羽根部１２、１３と、前記リム１０の上／下側羽根部１２、１３の間に前記リム１０の形態で上／下側羽根部１２、１３よりも厚く形成される支持枠１１で構成されるリム１０と、前記テンプル２０の上／下両側端部に構成される羽根部２１と、前記テンプル２０の中央部に長さ方向に前記羽根部２１よりも厚く形成される支持部２２で構成されるテンプル２０とで構成され、前記上／下側羽根部１２、１３と羽根部２１の厚さは０．８ｍｍ〜１ｍｍで形成され、眼鏡の重量を軽量化しながらも弾性力と耐久性を維持し、眼鏡の前面と側面から見える形状が後面に光の反射によって多様な形状のツートンカラーを確保することができ、前記リム１０とテンプル２０が上／下部に幅広でありながらも軽量であり、幅広に形成された眼鏡が構成される。
【００２０】
上述したように、前記リム１０は、従来にはリムの耐久性を高めるために厚さだけを厚く形成して構成していたが、これは厚い角縁眼鏡の形態を有するだけではなく、その材質に応じて耐久性が千差万別であった。
【００２１】
このような従来の問題点を補うために、全体的にポリイミド材質（以下、「ウルテム材質」と称する）で構成され、図２〜４に示すように、通常のリム形態で前記リム１０の上側面から延長する上側羽根部１２が形成され、前記リム１０の下側面に下側羽根部１３が形成されるが、前記下側羽根部１３はリム１０の端部分１４の下側面にのみそれぞれ形成される。
【００２２】
言い換えれば、前記上側羽根部１２は、リム１０の上側面から延長して形成され、前記下側羽根部１３は端部分１４のみにそれぞれ形成され、前記上／下側羽根部１２、１３は薄く形成されるため、ウルテム材質の特性である弾性力をそのまま維持できると共にリムの重量がさらに軽くなるように構成されている。
【００２３】
ここで、前記リム１０の耐久性を高めるために、リム１０の形態で形成され、前記上／下側羽根部１２、１３よりも厚く形成される支持枠１１が一体に構成されるが、前記支持枠１１の構成によってさらに強い耐久性が確保できるようになる。すなわち、前記リム１０の側断面が多段で形成されるようになる。さらに、前記支持枠１１は、リムの形態で形成されるように図に示されてはいるが、必要によっては部分的に構成して多様なデザインの多様性を付与してもよく、本発明の実施例によって限定されることはない。
【００２４】
前記テンプル２０は、図５または６に示すように、両側面に薄く形成される羽根部２１と前記羽根部２１の中央部に一体型に形成される支持部２２が構成され、上述したリム１０と同じように弾性力と耐久性を確保できるようにする。
【００２５】
さらに、前記テンプル２０の支持部２２には、迅速に変化する消費者の欲求を満たすことができるように、一側に選択的に多様な模様の溝部２３をさらに構成してもよい。前記溝部２３の場合は、必要によっては三角形、四角形、丸形状などの多様な多角形で構成してもよく、通常のテンプル２０に入る模様を形成してもよい。
【００２６】
このような溝部２３の構成により、ウルテム材質の特性に応じて色相とデザインの多様性を付与できるようになり、本発明では、前記溝部２３を長さ方向に長くて丸い形態をなすように示した。
【００２７】
ここで、前記リム１０の上／下側羽根部１２、１３とテンプル２０の羽根部２１は、重量を軽量化しながらも弾性力を維持できるようにその側面の厚さを０．８ｍｍ〜１ｍｍで構成するが、先ず、前記支持枠１１と支持部２２が構成されていない状態のリムとテンプルを構成し、前記上／下側羽根部１２、１３と羽根部２１の厚さが０．８ｍｍ〜１ｍｍを含んだ多様な厚さで形成されたものに対する耐久性および弾性力を実験した。
【００２８】
【表１】
0005910680.tif 000002
【００２９】
前記上／下側羽根部１２、１３と羽根部２１は、表１に示すように厚さをそれぞれ異なるように形成され、完成した眼鏡に対するその耐久性を実験した。表１は、それぞれの厚さで形成して数回に渡って実験した結果値の平均値を示すものであって、実験結果をみると、０．５ｍｍ〜０．７ｍｍの厚さで形成したときには重量は軽かったが耐久性は８．０であり、０．８ｍｍ〜１ｍｍの厚さで形成したときには重量は少し重かったが耐久性は８．４であり、１．１ｍｍ〜１．３ｍｍの厚さで形成したときには重量は極めて重くて耐久性は８．６であった。
【００３０】
表１の実験結果値のように、前記上／下側羽根部１２、１３と羽根部２１を０．８ｍｍ〜１ｍｍで構成したときには、重量が軽くて耐久性も高くなることが分かり、前記上／下側羽根部１２、１３と羽根部２１の厚さを０．８ｍｍ〜１ｍｍで構成したときには重量が軽くて耐久性も高くなるため、前記上／下側羽根部１２、１３と羽根部２１の厚さは０．８ｍｍ〜１ｍｍで構成することが好ましいと言える。
【００３１】
ここで、０〜１０の数値において、０が最も低い数値であり、１０が最も高い数値を示している。
【００３２】
【表２】
0005910680.tif 000003
【００３３】
また、表２に示すように、上述したそれぞれの厚さで構成された上／下側羽根部１２、１３と羽根部２１に対する弾性力を数回に渡って実験した結果の平均値を示すものであって、０．５ｍｍ〜０．７ｍｍの厚さでは弾性力が９．７であり、０．８ｍｍ〜１ｍｍの厚さでは弾性力が９．５であり、１．１〜１．３での厚さでは弾性力が９．０であった。言い換えれば、厚さが薄いほど弾性力が高くなり、厚さが厚いほど弾性力は低くなった。
【００３４】
前記表１および２を総合すると、上／下側羽根部１２、１３と羽根部２１の厚さを０．５ｍｍ〜０．７ｍｍで構成した場合には、重量が軽く、弾性力には優れるが耐久性は低く、厚さを０．８ｍｍ〜１ｍｍで構成したときには、重量は少し重く、弾性力は少し低いが耐久性は高く、厚さを１．１ｍｍ〜１．３ｍｍで構成したときには、重量は極めて重く、弾性力は極めて低いが耐久性は極めて高かった。
【００３５】
前記表１および２の実験結果値によると、前記上／下側羽根部１２、１３と羽根部２１の厚さを０．８ｍｍ〜１ｍｍで構成したときには、着用時に重量感が少なく、弾性力が維持され、耐久性も高いことが分かる。
【００３６】
表１および２において、それぞれの厚さで実験された上／下側羽根部１２、１３と羽根部２１の重量に対する実験結果値は、厚さが厚くなるほど重くなり、厚さが薄くなるほど軽くなるという物理法則に基づいて当然の結果が出るため、実験結果値を別途で示さなかった。
【００３７】
ここで、前記リム１０とテンプル２０の耐久性を高める支持枠１１と支持部２２を一体に形成した眼鏡の耐久性および弾性力に対する実験をした。
【００３８】
【表３】
0005910680.tif 000004
【００３９】
前記表３で示すように、耐久性の平均結果値をみると、上／下側羽根部１２、１３と羽根部２１の厚さが０．５ｍｍ〜０．７ｍｍの状態で支持枠１１と支持部２２を構成したときの耐久性は８．９となり、上／下側羽根部１２、１３と羽根部２１の厚さが０．８ｍｍ〜１ｍｍの状態で支持枠１１と支持部２２を構成したときの耐久性は９．３となり、上／下側羽根部１２、１３と羽根部２１の厚さが１．１ｍｍ〜１．３ｍｍの状態で支持枠１１と支持部２２を構成したときの耐久性は９．５となった。
【００４０】
さらに、前記上／下側羽根部１２、１３と羽根部２１に支持枠と支持部が含まれて構成された状態の耐久性を数回に渡って実験した後、弾性力に対する実験をした。
【００４１】
【表４】
0005910680.tif 000005
【００４２】
表４は、前記支持枠１１と支持部２２を構成したリム１０とテンプル２０の弾性力に対する結果値を示すものであって、表４に示すように、前記上／下側羽根部１２、１３と羽根部２１の厚さが０．５ｍｍ〜０．７ｍｍで形成された状態で支持枠１１と支持部２１を構成したときには弾性力が９．４となり、前記上／下側羽根部１２、１３と羽根部２１の厚さが０．８ｍｍ〜１ｍｍで形成された状態で支持枠１１と支持部２１を構成したときには弾性力が９．２となり、前記上／下側羽根部１２、１３と羽根部２１の厚さが１．１ｍｍ〜１．３ｍｍで形成された状態で支持枠１１と支持部２１を構成したときには弾性力が８．７となることを確認することができる。
【００４３】
前記表３〜４の結果を総合すると、前記支持枠１１と支持部２２を上／下側羽根部１２、１３と羽根部２１に一体に構成して形成されたリム１０とテンプル２０は、前記上／下側羽根部１２、１３と羽根部２１のみを独断的に構成するときよりも耐久性がさらに高くて破損を防げるようになり、ある程度の弾性力も維持し、重量は少し重くなったことが分かる。
【００４４】
しかし、表３および４における結果値に基づいた本発明の眼鏡は、０．８ｍｍ〜１ｍｍの厚さで上／下側羽根部１２、１３と羽根部２１で構成され、前記上／下側羽根部１２、１３と羽根部２１に支持枠１１と支持部２２を一体に形成したときには、眼鏡の重量、耐久性、弾性力を同時に確保することができるという満足のいく結果を得ることができた。
【００４５】
言い換えれば、上／下側羽根部１２、１３と羽根部２１を０．８ｍｍ〜１ｍｍで形成して支持枠１１と支持部２２を一体に形成すると、消費者の欲求を満たすことができるようになる。
【００４６】
また、前記支持枠１１と支持部２２が構成されることによって眼鏡はツートンカラーを有する効果を備えることができ、視覚的に美しさが加わるようになる。従来には、リムまたはテンプルにペインティングのような作業を別途で行ってツートンカラーを有するようにしていたが、本発明では、図４〜５に示すように、ウルテム材質の特性によって上／下側羽根部１２、１３と羽根部２１が薄く形成されるため透明な形態を帯びることができる反面、支持枠１１と支持部２２は厚く形成されるためツートンカラーをもてるようになる。
【００４７】
また、前記リム１０とテンプル２０が結合するときに、前記リム１０の上／下側羽根部１２、１３が前記テンプル２０と対向する部分の上／下面と前記テンプル２０の羽根部２１が前記リム１０と対向する部分の上／下面の高さが同じように位置し、前記リム１０の支持枠１１がテンプル２０の支持部２２と対向する部分の上／下面と前記テンプル２０の支持部２２がリム１０の支持枠１１と対向する部分の上／下面の高さが同じように位置することにより、眼鏡の全体的なツートンカラーを形成することができ、必要によっては相互結合時に上／下面の高さをそれぞれ異なるように形成するなど、多様に構成することもできる。
【００４８】
上述したように構成された本発明の眼鏡は、最も軽く、形状復元力および弾性に優れるだけでなく、光沢を出すために別途のコーティング工程が必要なく、着用時に前面と側面から見える形状が後面に光の反射によって着用者の顔に応じて多様な形状のツートーン効果が得られるようになる。
【００４９】
本発明に係る合成樹脂を利用した重量軽量化とツートンカラーを有する幅広眼鏡によると、ウルテム素材で構成されることによって弾性力をもち、上／下側羽根部１２、１３と羽根部２１の厚さが０．８ｍｍ〜１ｍｍで構成されることによって眼鏡の重量が軽くなり、前記上／下側羽根部１２、１３の中央部に支持枠１１と羽根部２１の中央部に長さ方向に支持部２２がそれぞれ構成されることによって耐久性が高まると共に、前記上／下側羽根部１２、１３と羽根部２１によって完成した眼鏡を着用するときに、前面と側面から見える形状が後面に光の反射によって多様な形状のツートンカラーをもてることはもちろん、前記支持部２２の一側にウルテム素材の特性に応じて色相とデザインの多様性を付与できるようにするため消費者の欲求を満たすことができ、それぞれの個性を極大化させることができる有用な発明である。
【符号の説明】
【００５０】
１０：リム
１１：支持枠
１２：上側羽根部
１３：下側羽根部
１４：端部分
２０：テンプル
２１：羽根部
２２：支持部
２３：溝部
【図１】
0005910680.tif 000006
【図２】
0005910680.tif 000007
【図３】
0005910680.tif 000008
【図４】
0005910680.tif 000009
【図５】
0005910680.tif 000010
【図６】
0005910680.tif 000011